(57)【要約】【課題】従来の折れ扉用金具を取り付けた家具では、折れ扉を完全に開けたときに、下扉が上扉に重なるようになるため、下扉に固定したグリップが手の届かない上方の位置になっていた。従って、開いた折れ扉を閉めるときには、高い位置にあるグリップをジャンプして掴んだり踏み台を持ってきて踏み台の上に乗ってグリップを掴んだりしなければならなかった。また従来の折れ扉用金具を取り付けた家具では折れ扉の開閉に強い力が必要であった。【解決手段】本発明の折れ扉用金具は、家具の側板に固定した基体と折れ扉の下扉に固定したアーム保持体間に上扉の縦幅よりも長く、上扉と下扉の合計幅よりも短いアームを回動自在に取り付けてあり、基体に取り付けたアームの上部には引張バネを係合してある。【選択図】図１
2007218054.tif 000002
【特許請求の範囲】
【請求項１】
上扉と下扉が蝶番で連結された折れ扉を所定の状態に開閉させる折れ扉用金具において、家具の側板に固定する基体と下扉に固定するアーム保持体には、上扉の縦方の幅よりも長く、しかるに上扉の縦方の幅と下扉の縦方の幅の合計よりも短い長さのアームがそれぞれ回動自在に取り付けられており、また基体に取り付けたアームの上部には係合部が形成されているとともに、該係合部には引張バネが係合されていることを特徴とする折れ扉用金具。
【請求項２】
前記引張バネは、他端が基体の端部に係合されていることを特徴とする請求項１記載の折れ扉用金具。
【請求項３】
前記基体は、断面コ字形であり、アームは基体の内側に挿入可能な断面コ字形であって、基体とアームはコ字形のそれぞれの側壁で回動自在に取り付けられていることを特徴とする請求項１記載の折れ扉用金具。
【請求項４】
前記アームは、上扉を略水平状態にしたときに、下扉が上扉に対して１００〜１２０度の角度になる長さであることを特徴とする請求項１記載の折れ扉用金具。
【発明の詳細な説明】
【技術分野】
【０００１】  本発明は、上扉と下扉が蝶番で連結された折れ扉を所定の状態に開閉する折れ扉用金具に関する。
【背景技術】
【０００２】  近時の一般家屋では、システムキッチンが多く採用されるようになってきており、システムキッチンでは食器や厨房器具を収納する家具が合理的に配置されている。例えば、本来台所の天井近くは空間として何ら利用されない部分であったが、システムキッチンでは、天井近くに収納家具を設置して収納部を多くしている。この天井近くに設置する家具の代表的なものは、天袋キャビネットである。【０００３】  天袋キャビネットの多くは、扉が左右に開くという所謂「観音開き」であった。しかしながら観音開きの天袋キャビネットは、天袋キャビネットの左右近傍に照明器具やレンジフード等が設置されていると、開いた扉がこれらに当たって充分に開くことができない。そこで天袋キャビネットの左右近傍に他の器具を設置する場合は、上扉と下扉からなる二枚の扉が上方に上がって開くという折れ扉を用いる。【０００４】  折れ扉は、上扉が家具の天板に蝶番で開閉自在に取り付けられ、下扉が上扉の下部に回動自在に取り付けられている。このように上扉を家具の天板に取り付け、下扉を上扉の下部に取り付けただけの折れ扉は、閉めた状態のときに冷暖房装置から吹き出す風や窓から吹き込む風に当たると揺れたり、家具に当たって音をたてたりする。またこの折れ扉は、開いたときには折れ扉を開いた状態で留め置くことができないため、収納物を出し入れする際に折れ扉を片手で持ち上げていなければならない。【０００５】  そこで従来より折れ扉には、閉時には折れ扉を閉まった状態で安定させ、開いたときには折れ扉を所定の位置で留め置くことのできる折れ扉用金具が取り付けられていた（特許文献１〜４）。従来の折れ扉用金具は、アーム保持体を折れ扉の下扉に固定し、基体を家具の側板に固定し、そして該アーム保持体と基体間にアームを回動自在に取り付けたものである。【０００６】  ところで折れ扉を用いた家具では、扉を開閉するために下扉の下部にグリップが取り付けられており、扉を開けるときにはグリップを持って、下扉を手の届くところまで開け、その後は、下扉の下部を持ち上げることにより扉を広く開けていた。このように扉が全開になった状態は、下扉が上扉にほとんど重なるようになる。つまり下扉を上扉に重ねることにより家具の前方を広くして、大きな厨房器具が下扉に邪魔されることなく収納できるようにしていた。【０００７】  このように折れ扉の下扉を上扉に重ねる従来の折れ扉用金具は、アームの長さが上扉の縦方の幅と同じか、又はそれよりも短いものであった。つまり従来の折れ扉用金具は、家具の側板に固定する基体を側板の上下方向の略中央位置に取り付けるため、この中央位置から下扉をアームで持ち上げて上扉に届かせようとしたときに、アームの長さは上扉と同一、或るいはそれよりも短くなるからである。
【特許文献１】特開平１１−１１７５９９号公報
【特許文献２】特開２００２−３８８０９号公報
【特許文献３】特開２００３−２６５２４９号公報
【特許文献４】特表２００５−５０３５０６号公報
【発明の開示】
【発明が解決しようとする課題】
【０００８】  ところで従来の折れ扉用金具を設置した家具では、折れ扉を開けるときに手で下扉の下部を持ち上げて扉を全開にするが、このとき下扉を上扉に重ねるためには、下扉をさらに手の届くところ以上に持ち上げなくてはならない。そのために家具に収納物を出し入れする者、たとえば厨房で料理を行う主婦は男性よりも背が低いため、背伸びをして下扉を持ち上げたり、近くにある棒状物や長いもので下扉を持ち上げたり、或いは下扉を持ち上げるときに勢いを付けて手の届くところ以上の位置に持ち上げたりしていた。このようにして扉を全開にして収納物を収納、或いは取り出した後に扉を閉めるときには、下扉のグリップは手の届かないところまで上がっている。従って今度は折れ扉を閉めるときには、ジャンプをしてグリップを掴んだり、或いは踏み台を用意して踏み台に乗ってグリップを掴んで下扉を下げたりすることにより扉を閉めなければならなかった。つまり従来の折れ扉用金具を取り付けた折れ扉では扉の開閉に手間がかかるものであった。【０００９】  上記のように扉の開閉に手間のかかることに鑑み下扉に長い紐や棒状物を取り付けることも考えられる。しかしながら紐は長年月のうちに切れたり汚れたりし、また棒状物は揺れるため家具を傷付けてしまう。しかも紐や棒状物が家具からぶら下がっていることは、奇異なものとなり、美観を損ねることから、近時のデザイン重視のシステムキッチンには全くそぐわないものである。
【課題を解決するための手段】
【００１０】  本発明者は、扉を開けたときに下扉が上扉に重ならくても、上扉が略水平となったときに下扉が上扉に対して１００〜１２０度の角度になっていれば、大きな収納物の出し入れに下扉が邪魔とならないこと、そして下扉がこのような状態であれば下扉の下部が収納物を出し入れする背の低い主婦でも充分に手の届く位置にあること、等に着目して本発明を完成させた。【００１１】  本発明は、上扉と下扉が蝶番で連結された折れ扉を所定の状態に開閉させる折れ扉用金具において、家具の側板に固定する基体と下扉に固定するアーム保持体には、上扉の縦方の幅よりも長く、しかるに上扉の縦方の幅と下扉の縦方の幅の合計よりも短い長さのアームがそれぞれ回動自在に取り付けられており、また基体に取り付けたアームの上部には係合部が形成されているとともに、該係合部には引張バネが係合されていることを特徴とする折れ扉用金具である。【００１２】  本発明では、折れ扉を開けたときに下扉を上扉に対して１００〜１２０度の角度にするため、家具の側板に固定する基体を側板の上部に固定する。従って折れ扉が開いて上扉が略水平になった状態で、下扉を上扉に対して１００〜１２０度の角度にするには、アームの長さは少なくとも上扉の縦方の幅よりも長くしなければならない。しかるにその長さが、上扉の縦方の幅と下扉の縦方の幅の合計よりも長くなると、折れ扉を開けたときに下扉が上扉と同様に水平か、或いは水平に近い状態となって折れ扉を閉めるときに主婦の手が届かない位置まで下扉の下部が上がってしまう。【００１３】  本発明の折れ扉用金具では、基体に取り付ける部分のアームの上部に係合部を形成して、該係合部に引張バネを係合する。この係合部の位置は、折れ扉を閉めたときにはアームと基体を回動自在に取り付けた軸と同位置か、或いは軸よりも少し下方の位置であり、折れ扉を開けたときには該軸よりも上方の位置となるところである。係合部をこのような位置になるようにすると、折れ扉が閉まっているときには、折れ扉を閉める方向にバネ付勢して折れ扉を家具の入り口に密着させ、開けるときには引張バネがアームを上方に持ち上げる方向にバネ力を作用させるため、少ない力で折れ扉を開けることができる。
【発明の効果】
【００１４】  本発明の折れ扉用金具は、家具の側板に固定した基体と折れ扉の下扉に固定したアーム保持体間に上扉の縦方の幅よりも長く、しかるに上扉の縦方の幅と下扉アームの縦方の幅の合計した長さよりも短いアームが回動自在に取り付けてあるため、扉を開けて上扉が略水平になったときに、アームは水平よりも少し下方に傾斜している。このときアームは上扉よりも長いためアームの他端は上扉よりも前方の位置となる。従って、アームの端部が取り付けられた下扉は略水平となった上扉に対して１００〜１２０度の角度で上扉に吊設された状態となる。この状態は下扉が収納物の出し入れに邪魔とならない位置であり、また収納物を出し入れする者が手を上方に上げたときに、下扉に容易に届く位置である。従って、収納物を出し入れした後、折れ扉を閉めるときに、従来のようにジャンプして下扉のグリップを掴んだり、踏み台を使って閉めたりする必要がない。【００１５】  本発明の折れ扉用金具は、アームの一端、即ち基体に取り付けた端部において、その少し上部に引張バネが係合されている。このように基体取り付け部の上部となるアームに引張バネを係合しておくと、折れ扉の閉時に引張バネの係合部がアームを回動させる軸の下方となるため、アームを家具の方に引っ張ってアームの他端は下扉を閉じる方向に押し、折れ扉を家具に密着させる。さらに本発明の折れ扉用金具は、折れ扉を開けるときには閉時に折れ扉が引張バネで押さえられているため、開け初めは多少抵抗があるが、折れ扉が少しでも開くと、今度は引張バネがアームを回動させる軸の上方となるため、引張バネが開く方向に作用して折れ扉は上方に軽い力で持ち上げられる。従って、折れ扉が重い素材で作られていても開閉が容易となる。
【発明を実施するための最良の形態】
【００１６】  以下図面に基づいて本発明を説明する。図１は本発明の折れ扉用金具を取り付けた家具の側面断面図、図２は本発明折れ扉用金具において折れ扉を開けた状態の基体とアームの拡大側面図、図３は図２の断面図、図４は折れ扉を閉めた状態の折れ扉用金具の側面断面図、図５は図２の平面図、図６はアーム保持体とアームの拡大側面図である。【００１７】  折れ扉用金具は、図１に示すように折れ扉Ｔが設置された家具Ｆに取り付けるものである。家具Ｆは天板Ｗ、奥板Ｘ、底板Ｙ、一対の側板Ｚからなり、前面が開口となっていて、該前面に折れ扉Ｔが取り付けられている。折れ扉Ｔは上扉Ｕと下扉Ｄからなり、上扉Ｕは図示しない蝶番で家具Ｆの天板Ｗに開閉自在に取り付けられていて、下扉Ｄは蝶番Ｈで上扉Ｕに回動自在に取り付けられている。下扉Ｄの表面下部にはグリップＧが固定されている。本発明の折れ扉用金具は、折れ扉Ｔを開けたときに、略水平となった上扉Ｕに対して、下扉Ｄが１００〜１２０度の角度（α）となるようになっている。【００１８】  本発明の折れ扉用金具は、基体１、アーム２、アーム保持体３から構成されており、基体１が家具Ｆの側板Ｗに固定され、アーム保持体３が折れ扉Ｔの下扉Ｄに固定され、そしてアーム２はそれぞれの端部が基体１とアーム保持体３に回動自在に取り付けられる。本発明の折れ扉用金具は、基体１を側板Ｚの上方、即ち天板Ｗに近いところに固定する。【００１９】  基体１は底面４、取付側壁５、内側壁６で断面がコ字形となっており、取付側壁５は内側壁６よりも高さが高くなっている。内側壁６はアームを取り付ける端部（図２の図中左側）が取付側壁５よりも短くなっており、またその部分の底面４が内側壁６よりも短くなっている。基体１はアーム２の端部を回動自在に取り付けるものであるが、アーム２を取り付ける端部の取付側壁５と内側壁６には軸穴７、８が穿設されている。基体１を横方から見たときに、内側壁６に隠れていない部分には複数の取付穴９・・・が穿設されている。アームを取り付けた部分とは反対側（図２の図中右側）の内側壁６の下部にはネジ挿入穴１０が穿設されており、取付側壁５には該ネジ挿入穴と対向位置にも取付穴９が穿設されている。またアーム２を取り付ける部分とは反対側の下部には取付側壁５と内側壁６間に係合ピン１１が挿通されている。【００２０】  アーム２は底面１２、側壁１３、１４で断面がコ字形となっている。アーム２の外幅は基体１の内幅よりも狭くなっており、コ字形の基体１内にコ字形のアーム２を置いたときに、それぞれの側壁間に少しの間隙ができるようになっている。アーム２は基体１に取り付ける部分がヘ字形に屈曲しており、該屈曲した端部には軸穴１５、１６が穿設されている。また屈曲した端部の上方、即ち「ヘ」の字の頂部近くには係合部１７が設置されている。実施例に示す係合部はアーム２の側壁１３、１４間に架設された棒状物であり、該棒状物の中央には長牡ネジ１７１が遊嵌状態で挿通されている。【００２１】  係合部１７の長牡ネジ１７１は引張バネ１８の一端に係合されている。この係合は、引張バネ１８の一端に固定された長牝ネジ１８１に螺入することにより行われている。そして引張バネ１８の他端は前述係合ピン１１に係���されている。従って、アーム２の端部上部は常に引張バネ１８で取付基体１の中方に引っ張られている状態となっている。【００２２】  アーム２を基体１に回動自在に取り付けるため、アームの側壁１３、１４の端部には軸穴１５、１６が穿設されており、アーム２の一方の軸穴１５と基体１の取付側壁５の軸穴７には軸１９が挿通され、またアーム２のもう一方の軸穴１６と基体１の内側壁６の軸穴８には軸２０が挿通されている。従って、アーム２と基体１とは、それぞれの壁面間に挿通した二本の軸で回動自在となっており、アーム２の側壁１３、ｌ４間には回動用の軸は存在していない。【００２３】  係合部１７は、折れ扉を開けたときには図３に示すように軸１９、２０よりも上方に位置し、折れ扉を閉めたときには図４に示すように軸１９、２０よりも下方に位置するようになっている。従って、折れ扉を開けるときには、係合部１７には引張バネ１８によりアーム２を上方に持ち上げる力がかかるため、折れ扉は軽い力で開けられる。また折れ扉を閉めるときには、係合部１７には引張バネ１８によりアームを下方に下げる力がかかるため、折れ扉を家具の入口に密着させる。【００２４】  基体１とアーム２を軸支した部分には樹脂板２１、２２を挟持させてある。該樹脂板は基体１とアーム２の壁面間のガタツキをなくすとともに、アームを円滑に回動させるものである。【００２５】  アーム保持体３は、アーム２の他端を回動自在に取り付けるものであり、細長い取付板２３の両側に一対の保持板２４が立設されている。一対の保持板間には軸２５が架設されており、該軸にアーム２の端部が回動自在に取り付けられている。取付板２３には図示しない取付穴が穿設されている。【００２６】  次に上記構成から成る本発明の折れ扉用金具の取り付けについて説明する。基体１とアーム保持体３は、既にアーム２で連結されている。先ず基体１を家具Ｆの一方の側板Ｚに固定する。基体１の側板Ｚへの固定位置は、側板Ｚの上方、即ち天板Ｗに近い位置であり、またアーム２を下げてアーム保持体３の取付板２３を下扉の裏面に接触させたときに、アーム２が下扉に当たらず、しかも略垂直になるような位置である。そして基体１の固定位置が決定したならば、基体１の複数の取付穴９・・・から木ネジを挿入して側板Ｚに螺入して基体１を固定する。【００２７】  基体１を側板Ｚに固定後、アーム２の長さからアーム保持体３の下扉Ｄへの取付位置を決め、下扉Ｄを開けた状態でアーム保持体３をやはり木ネジで固定する。同様にしてもう一方の側板にも基体を固定し、アーム保持体を木ネジで下扉に個体する。つまり家具には折れ扉用金具を左右一対固定する。【００２８】  このようにして両側の側板に基体が固定され、下扉の両側にアーム保持体が固定された家具では、折れ扉Ｔが閉じた状態（図１の一点鎖線）では、アーム２の係合部１７が軸１９、２０と横方に同一位置、または軸１９、２０よりも少し下方となるため、アーム２の他端に取り付けられたアーム保持部３が家具の中方に引っ張られて、折れ扉Ｔは入口に密着するとともに風では容易に開かないようになる。【００２９】  折れ扉を開けるときには、グリップＧを持って少し開くと、係合部６の位置が軸１９、２０よりも上方となるため、引張バネ１８は折れ扉Ｔを開く方に作用し、軽い力で開くようになる。そして上扉Ｕが略水平まで開くと、上扉Ｕの上端と家具Ｆの天板Ｗが当たって上扉の開きが止まる。この状態では、アーム２の長さが上扉の幅よりも少し長いため、下扉Ｄは図１に示すように垂直よりも少し外方に傾斜した状態（１００〜１２０度）となる。【００３０】  折れ扉を開くときの加減や閉めたときの家具入口への密着状態の調整は、係合部１７における長牡ネジと長牝ネジの螺入状態で行う。つまり長牡ネジを長牝ネジに螺入していくと引張バネが係合部方向に伸ばされて引張バネのバネ力が強くなり、逆に長牡ネジを長牝ネジから出すようにするとバネ力は弱くなる。【００３１】  開いた折れ扉を閉めるときには、下扉ＤのグリップＧが近いところにあるため、グリップを掴んで下方に引き降ろすだけで折れ扉は容易に閉めることができる。
【産業上の利用可能性】
【００３２】  本発明は、天袋キャビネットのように台所の上方に設置する家具に適したものであるが、天袋キャビネットばかりでなく、システムキッチンに組み込まれた食器棚にも取り付けることができる。
【図面の簡単な説明】
【００３３】
【図１】本発明の折れ扉用金具を取り付けた家具の側面断面図
【図２】本発明折れ扉用金具における基体とアームの拡大側面図
【図３】図２の断面図
【図４】折れ扉を閉めた状態の折れ扉用金具の側面断面図
【図５】図２の平面図
【図６】アーム保持体とアームの拡大側面図
【符号の説明】
【００３４】  １  基体
２  アーム
３  アーム保持体
１７  係合部
１８  引張バネ
【図１】
2007218054.tif 000003
【図２】
2007218054.tif 000004
【図３】
2007218054.tif 000005
【図４】
2007218054.tif 000006
【図５】
2007218054.tif 000007
【図６】
2007218054.tif 000008